(57)【要約】【課題】  カバー越しに身体に当てられた回転する指圧部材によって指圧効果を上げるマッサージ器に付いて、指圧部材を回転させないにも拘らず恰も指圧部材が回転しているかのような感覚を与えることが出来、従って指圧部材がカバーを擦らずカバーの摩耗の少ないような、全く新しいマッサージ器を提供する。【解決手段】  ケースの内部に納められたモータの回転軸に複数個のカムが、各々の偏心角度が異なるようにして取り付けられており、このカムに外周部に指圧突起が設けられた被押圧部が係合されており、この指圧突起を覆うと共に被押圧部の回転を押えるための柔軟なカバーがケースに取り付けられて成る、指圧部を備えたマッサージ器とした。カムは回転運動を行うが、被押圧部と指圧突起とはただ揺動運動を行うのみであり、この揺動運動によって指圧効果を上げると言うものである。【選択図】図３
0003150600.tif 000002
【実用新案登録請求の範囲】
【請求項１】
ケースの内部に納められたモータの回転軸に複数個のカムが、各々の偏心角度が異なるようにして取り付けられており、このカムに外周部に指圧突起が設けられた被押圧部が係合されており、この指圧突起を覆うと共に被押圧部の回転を押えるための柔軟なカバーがケースに取り付けられて成ることを特徴とする、指圧部を備えたマッサージ器。
【請求項２】
前記指圧突起がボール形状を呈する、請求項１に記載の指圧突起を備えたマッサージ器。
【請求項３】
前記指圧突起が波状を呈する、請求項１に記載の指圧突起を備えたマッサージ器。
【考案の詳細な説明】
【技術分野】
【０００１】  本考案は新感覚の指圧を行なうことが出来る指圧部を備えたハンディータイプのマッサージ器に係り、特に腟のような器官に挿入してこれを内側から指圧するためのマッサージ器に関するものである。
【背景技術】
【０００２】  特開２００４−３２９８３４のマッサージ器具は当考案者の発明になるものであるが、球体付き回転体に関して、図１及び図４で示すように、モータの回転軸に取り付けられた複数枚の円板の各々相対する面に軸受けの凹部が形成されており、この凹部に球体をはめ込むようにして、球体を円板で挟み付けて成るものである。なおこのマッサージ器具の先端部分から前記球体付き回転体に掛けて柔軟な素材から成るカバーが被せられている。【０００３】  そしてモータをＯＮ状態にすることによって円板ごと球体を公転運動させ、この球体を前記カバー越しに身体所要部に当てるようにしてマッサージを行なうものである。この際に球体自体が円板の凹部の中で凹部から外れることなく自転運動を行なって、身体に心地良いマッサージ刺激を与えることが出来る。
【特許文献１】特開２００４−３２９８３４（図１、図４）
【考案の開示】
【考案が解決しようとする課題】
【０００４】  確かに特開２００４−３２９８３４のマッサージ器具では、前記カバー越しに身体に当てられた回転する回転体の球体によって一定のマッサージ効果を上げることが出来るのであるが、刺激が単調になりやすいと言う不満が出る場合があり、新たな刺激を加え得るようなマッサージ器の出現が望まれている。また前記カバーの裏側は回転する球体が擦ることによって摩擦を生じ、モータには余計な負荷が掛かりカバーのこの部位は劣化しやすいと言う問題がある。【０００５】  そこで本考案は、回転体のような回転する部分を備えずとも恰も回転体が回転しているかのような感覚を与えることが出来、従って上述したような摩擦を生ずることのない、全く新しいマッサージ器の提供を課題とする。
【課題を解決するための手段】
【０００６】  上記課題は、ケースの内部に納められたモータの回転軸に複数個のカムが、各々の偏心角度が異なるようにして取り付けられており、このカムに外周部に指圧突起が設けられた被押圧部が係合されており、この指圧突起を覆うと共に被押圧部の回転を押えるための柔軟なカバーがケースに取り付けられて成ることを特徴とする、指圧部を備えたマッサージ器とすることにより達成される。【０００７】  モータの回転軸から出力される回転は円運動であるが、これによって各々の偏心角度が異なる複数個のカムが回転し、このカムの動作がカムの作用部（一般的には突起状の部分）を介して被押圧部に伝達される。通常であれば被押圧部はカムによってカムの回転方向へ押されて回転してしまうはずであるが、被押圧部にはカバーが掛けられているために回転することが出来ない。従って被押圧部（の指圧突起）はカムの作用部に押される方向に突出し、この「突出位置」がカムの回転に伴って移動するのみである。そして複数個のカムはそれぞれ偏心角度（突出方向）が異なっているため「突出位置」もこれに合わせてずれることになる。【０００８】  本考案のこの現象は非常に重要であり、被押圧部の突出位置が移動しながら指圧する現象が、膣などの内壁には指圧突起が恰も回転しているかのように感じられるのである。このようにして腟などの内壁に、回転していないのに回転しているかのような新たな指圧刺激が与えられるのである。【０００９】  と同時に、前記カバーの裏側が擦られることがないために、摩擦による劣化が起らず、またモータに余計な負荷が掛かることもない。なおカムの作用部は被押圧部との間で摩擦を起すがこれは計算済みの摩擦であり、これを論ずることは本考案の課題の解決から外れるものである。【００１０】  なお前記カバーにはゴム素材のもの、プラスチック素材のもの、布素材のものなどで柔軟なものが任意に利用可能である。皮膚に触れる指圧突起が前記カバーで覆われているために当たりがソフトなものと成り、効果的なマッサージ作用が得られる。或いは好みのカバーに交換し得るように、カバーをケースに対して着脱自在とするなどもよい。このような構成であるため特にデリケートな腟などの内壁に対してはこのカバーの裏側から指圧するようになる。従ってこのようなカバーを介しての当たりはソフトなものであり、やはり心地良いものである。なおマッサージ器が、モータを納めた腟内に挿入する柔軟な素材から成る挿入部と、電池やスイッチを納めたハンドル部とから成るものでは、この挿入部に前記カバーを掛ける構成が可能である。【００１１】  次に、前記指圧突起がボール形状を呈するものとすることが出来る。これによりボールが腟などの内壁に指圧刺激を加える。このボール状の部分は、被押圧部の外周部をボール状に形成したものであっても良く、また被押圧部の外周部に別体であるボールを埋め込んだものであっても良い。このあたりの設計は全く自由である。【００１２】  次に、前記指圧突起が波状を呈するものとすることが出来る。これにより波状の部分が腟などの内壁に指圧刺激を加える。この波状の部分は、被押圧部の外周部を波打たせるように成型するなどすれば良い。【００１３】  なお本考案はバイブレータを備えた��のとすることが出来る。バイブレータとしては偏心重錘を有するモータに電池とスイッチとが接続されているものなどを例に上げることが出来る。この場合モータの回転により偏心重錘が回転するが、偏心重錘であるが故に振動を発生するのである。これによればバイブレーション（振動刺激）を加えつつこの発明に於ける指圧効果を与えることが可能であり、相乗効果を上げることが出来る。【００１４】  或いはこのマッサージ器本体から分岐する突出部を設けて、そこにバイブレータを納めた構成とすることが可能である。またこの突出部はこのマッサージ器本体とは別の身体部位をマッサージする目的に使用し得るように構成することが可能である。
【考案の効果】
【００１５】  本考案によれば、カムに押圧された指圧突起が、回転していないのに回転しているかのような、新たな指圧刺激を膣などの内壁に与えることが出来る。また指圧突起は回転しないため、前記カバーの裏側が擦られることが少なく摩擦による劣化が起こりにくい。
【考案を実施するための最良の形態】
【００１６】  以下では本考案の実施形態２種を図面を参照しつつ説明するが、本考案はこれ等に限定されるものではない。【００１７】  本考案の第１実施形態を図１乃至図３を用いて説明する。図３は本考案のカム２と揺動体３とから成る指圧部を備えたマッサージ器の内部模式図である。マッサージ器のケース５にはモータ４とこの回転軸の回転数を下げるためのギヤボックス４０とモータ４に電力を供給するための乾電池（図示せず）とが納められており、このモータ４をＯＮ／ＯＦＦするためのスイッチ４１がケース５の底部に設けられている。このモータ４の回転軸１には４個の前記カム２が取り付けられてこのカム２に揺動体３がはめ込まれており、更に先方は屈曲されて屈曲軸１１となっている。そしてケース５から露出する４個の前記揺動体３から屈曲軸１１までをシリコンカバー５０（柔軟なカバーである）で覆って成る。【００１８】  上述したように回転軸１には４個のカム２が各々偏心方向が異なるようにして取り付けられており、これ等が回転軸方向にずれてしまわないように２個の制限板１０で押えている。また各々のカム２には、中心孔３１が開孔されていると共に外周部に８個の半球体３０（指圧突起である）が設けられたドーナツ状の揺動体３（被押圧部である）がはめ込まれている。その何れも後述するようにカム２は回転するものであるが揺動体３は回転するものではなく揺動するものである。なお４個の揺動体３にはモータ４側のものから順に３−１，３−２，３−３，３−４と番号を振っている。【００１９】  なお本実施形態のマッサージ器には、前記ケース５の途中から分岐する分岐ケース５２が設けられており、この分岐ケース５２にはモータ６が納められており、このモータ６の回転軸６０に偏心重錘６１が固定されている。ここで言う偏心重錘とは、重錘が重量バランスを壊して回転軸６０に固定されたものを言い、このような偏心重錘６１を回転させるとモータ６の全体延いては分岐ケース５２やケース５にまで振動が伝わるのである。従ってこの分岐ケース５２の部位は、バイブレータとしてのマッサージ器の役割を担うものである。なお前記ケース５の底面には前記スイッチ４１と共にモータ６をＯＮ／ＯＦＦするためのスイッチ６２が取り付けられており、このスイッチ６２と図示しない電池とモータ６とが直列に配線されている。【００２０】  さてモータ４を回転させるとギヤボックス４により減速されて回転軸１が回転する。この回転軸１の回転は４個の前記カム２に伝えられてカム２が回転する。すると各々のカム２は前記揺動体３の中心孔３１に作用する。ところでこれ等の揺動体３はその外周部分の半球体３０の上をシリコンカバー５０で覆われているため、カム２の回転と共に回転しようとするがこの回転がシリコンカバー５０で押えられており、これにより揺動体３の中心孔３１とカム２との間で滑りが生じて、カム２は揺動体３を押すものの揺動体３を回転させることがなく、従って揺動体３は図２で示すように揺動範囲の揺動運動を行うのである。この際に外周部に８個の半球体３０の内の前記揺動範囲の外周に位置するものがシリコンカバー５０を外方へ押して、図３で表したように突出部５１を作るため、これが身体に指圧を加えるのである��なお図３では揺動体３−１はその半球体部分が図の右方にシリコンカバー５０を押しており、また揺動体３−２は手前に、揺動体３−３は左方に、揺動体３−４は奧方に押している状態が表されている。このようにしてカム２の回転運動に伴ってシリコンカバー５０を押す位置が変化し、指圧部位が恰も回転しているかのように動いて行く。【００２１】  本実施形態の特徴はここにあり、揺動体３は回転していないにも拘らず回転しているかのような感覚すなわちより複雑な新感覚のマッサージ刺激を身体に与えることが出来るのである。また揺動体３はその半球体３０がシリコンカバー５０を押すだけで擦らないため摩耗を生ずることが少なくなる効果を奏する。これはある意味モータに余計な負荷を掛けていないと言うことでもある。【００２２】  次に、本考案の第２実施形態を図４及び図５を用いて説明する。本実施形態のカム２０も揺動体７（被押圧部である）も共に、上述した第１実施形態のものよりも薄く構成されており、この結果同様のスペースでもより多くの数の揺動体７を納めてより細かい動きと刺激とを現わすことが出来るようになっている。【００２３】  殊に揺動体７はその外周部が波状を呈して波状体７０（指圧突起である）とされている。この上を図示しないシリコンカバー（柔軟なカバーである）で覆って成る。なお図中で符号７１は中心孔を指し、中心孔７１にはカム２０がはめ込まれている。【００２４】  この実施形態に於いてもやはり揺動体７の波状体７０は回転運動を行うことがなく、図５で示すような揺動範囲の揺動運動を行うのみである。【００２５】  なお本考案は、複数個のカムの各々の素材や形状や偏心角度などを限定するものでなく、外周部に指圧突起が設けられた被押圧部の素材や形状も任意であり、指圧突起を覆うと共に被押圧部の回転を押える柔軟なカバーに付いても素材や形状は自由である。例えば透明なカバーを用いれば被押圧部の揺動する様を外から見られるようになる。また被押圧部に関して、例えば第１実施形態の半球体３０の代わりに真珠玉や磁石玉やトルマリン玉などを用いることが可能であり、各々の素材が有する効能を亨受し得る。なお被押圧部の該周部の形状が完全な円形であったとしても、円弧は指圧突起としての役割を十分に担い得るため（マッサージ椅子の肩もみ部材が一例である）、円形の被押圧部も外周部に指圧突起が設けられているものと見做し、これも本考案の権利範囲である。
【産業上の利用可能性】
【００２６】  本考案のマッサージ器は、腟などのトンネル状の器官の内壁の指圧以外にも、例えば背中などを指圧する目的のものとして使用したり構成することが可能である。
【図面の簡単な説明】
【００２７】
【図１】  第１実施形態の半球体３０付き揺動体３の部分断面図である。
【図２】  同実施形態の動作状態説明図である。
【図３】  同実施形態のマッサージ器の内部模式図である。
【図４】  第２実施形態の波状外周部７０を有する揺動体７の部分断面図である。
【図５】  同実施形態の動作状態説明図である。
【符号の説明】
【００２８】  １    回転軸          １０  制限板        １１  屈曲軸
２    カム            ２０  カム          ３    揺動体
３０  半球体          ３１  中心孔        ４    モータ
４０  ギヤボックス    ４１  スイッチ      ５    ケース
５０  シリコンカバー  ５１  突出部        ６    モータ
６０  回転軸          ６１  偏心重錘      ６２  スイッチ
７    揺動体          ７０  波状体        ７１  中心孔
【図１】
0003150600.tif 000003
【図２】
0003150600.tif 000004
【図３】
0003150600.tif 000005
【図４】
0003150600.tif 000006
【図５】
0003150600.tif 000007